(57)【要約】【課題】多くの手間や時間を要することなくスライダの一端部にレールカバーを取り付けたりスライダの一端部からレールカバーを取り外したりすることのできる直動案内装置を提供する。【解決手段】案内レール１の左右側面部に形成された転動体転動溝３と案内レールの上面部１ａとを覆うレールカバー４をスライダ２に固定するレールカバー固定手段が、スライダ２に固定されたレールカバー固定板１２と、レールカバー固定板１２に形成された左右一対の穴部１５にレールカバー取付け板７を貫通して嵌合する軸部を有する左右一対のレールカバー固定ピン１３とからなり、レールカバー固定ピン１３がレールカバー固定板１２に形成された複数のフック受け部に対して着脱自在に係合する複数のフック部を軸部の先端部に有している。【選択図】図１
2008069870.tif 000002
【特許請求の範囲】
【請求項１】
直線状に形成された案内レールと、この案内レールの長手方向に相対移動するスライダと、このスライダ内に転動自在に組み込まれた多数の転動体と、前記案内レールの左右側面部に形成された転動体転動溝と前記案内レールの上面部とを覆うレールカバーと、このレールカバーを前記スライダに固定するレールカバー固定手段とを備えてなり、前記レールカバーが前記案内レールの長手方向に伸縮自在なレールカバー本体の少なくとも一端部にレールカバー取付け板を有する直動案内装置であって、
前記レールカバー固定手段が前記スライダに固定されたレールカバー固定板と、このレールカバー固定板に形成された左右一対の穴部に前記レールカバー取付け板を貫通して嵌合する軸部を有する左右一対のレールカバー固定ピンとからなり、前記レールカバー固定ピンが前記レールカバー固定板に形成された複数のフック受け部に対して着脱自在に係合する複数のフック部を前記軸部の先端部に有することを特徴とする直動案内装置。
【請求項２】
前記レールカバー固定ピンは、前記レールカバー取付け板に当接する当接部を前記フック部と反対側の前記軸部の端部に有することを特徴とする請求項１記載の直動案内装置。
【請求項３】
前記当接部は、前記レールカバー固定ピンを回転操作するための回転操作部を有することを特徴とする請求項２記載の直動案内装置。
【請求項４】
前記フック受け部は前記レールカバー固定板の厚さ方向に沿う断面がほぼＬ字形に形成され、前記フック部は前記レールカバー固定ピンの軸方向に沿う断面がほぼＬ字形に形成されていることを特徴とする請求項１〜３のいずれか一項記載の直動案内装置。
【発明の詳細な説明】
【技術分野】
【０００１】
本発明は、往復直線運動する物体をその移動方向に案内する直動案内装置に関し、特に、案内レールの左右側面部に形成された転動体転動溝と案内レールの上面部とを覆うレールカバーを備えた直動案内装置に関する。
【背景技術】
【０００２】
レールカバーを備えた直動案内装置として、従来、図８に示すものが知られている（例えば、特許文献１参照）。同図に示される直動案内装置は、直線状に形成された案内レール１と、この案内レール１の長手方向に相対移動するスライダ２と、このスライダ２内に転動自在に組み込まれた多数の転動体（図示せず）とを備えており、案内レール１の左右側面部に形成された転動体転動溝３と案内レール１の上面部１ａは、レールカバー４によって覆われている。
【０００３】
レールカバー４は案内レール１の長手方向に伸縮自在なレールカバー本体５と、このレールカバー本体５の一端部と他端部に取り付けられたレールカバー取付け板６，７とからなり、レールカバー取付け板６，７はそれぞれ複数（例えば二本）のレールカバー取付け用螺子８によって案内レール１の一端部とスライダ２の一端部に固定されている。なお、レールカバー本体５は例えば所定の形状に裁断された複数の布地を蛇腹状に縫製して形成されている。
【０００４】
このようなレールカバー４を備えた直動案内装置は、案内レール１の上面部１ａや転動体転動溝３に切削粉や塵埃などが異物として付着することがないため、案内レール１の上面部１ａや転動体転動溝３に付着した異物によって転動体の転がり運動が阻害されたりすることを防止することができる。
【特許文献１】特開平９−２６４３２３号公報
【発明の開示】
【発明が解決しようとする課題】
【０００５】
しかしながら、上述した直動案内装置ではレールカバー４のレールカバー取付け板７がレールカバー取付け用螺子８によってスライダ２に固定されているため、図９に示すように、スライダ２とレールカバー４との間にサイドシール９や潤滑ユニット１０などが存在する場合には、レールカバー取付け用螺子８のねじ部がスライダ２まで届かなくなることがある。そこで、レールカバー取付け用螺子８として首下長さの長い螺子を用いると、レールカバー本体５を案内レール１の長手方向に折り畳んだ状態ではレールカバー取付け用螺子８の頭部がレールカバー本体５に干渉してしまうため、図９に示すように、レールカバー本体５の一部を案内レール１の長手方向に伸ばした状態でレールカバー取付け板７をスライダ２の一端部に固定する必要がある。このため、スライダ２の一端部にレールカバー４を取り付ける際の作業が煩雑なものとなり、レールカバーの取付けに多くの手間と時間を要していた。
【０００６】
本発明は上述した問題点に着目してなされたものであり、その目的は多くの手間や時間を要することなくスライダの一端部にレールカバーを取り付けたりスライダの一端部からレールカバーを取り外したりすることのできる直動案内装置を提供することにある。
【課題を解決するための手段】
【０００７】
上記の目的を達成するために、本発明に係る直動案内装置は、直線状に形成された案内レールと、この案内レールの長手方向に相対移動するスライダと、このスライダ内に転動自在に組み込まれた多数の転動体と、前記案内レールの左右側面部に形成された転動体転動溝と前記案内レールの上面部とを覆うレールカバーと、このレールカバーを前記スライダに固定するレールカバー固定手段とを備えてなり、前記レールカバーが前記案内レールの長手方向に伸縮自在に形成されたレールカバー本体の少なくとも一端部にレールカバー取付け板を有する直動案内装置であって、前記レールカバー固定手段が前記スライダに固定されたレールカバー固定板と、このレールカバー固定板に形成された左右一対の穴部に前記レールカバー取付け板を貫通して嵌合する軸部を有する左右一対のレールカバー固定ピンとからなり、前記レールカバー固定ピンが前記レールカバー固定板に形成された複数のフック受け部に対して着脱自在に係合する複数のフック部を前記軸部の先端部に有することを特徴とする。
【０００８】
本発明に係る直動案内装置において、レールカバー固定ピンとしては、レールカバー取付け板に当接する当接部をフック部と反対側の軸部の端部に有するものを使用できる。また、レールカバー固定ピンの当接部としては、レールカバー固定ピンを回転操作するための回転操作部を有するものを使用できる。さらに、レールカバー固定板のフック受け部としては、レールカバー固定板の厚さ方向に沿う断面がほぼＬ字形に形成されているものを使用でき、レールカバー固定ピンのフック部としては、レールカバー固定ピンの軸方向に沿う断面がほぼＬ字形に形成されているものを使用できる。
【発明の効果】
【０００９】
本発明に係る直動案内装置では、レールカバーをスライダに固定する手段としてレールカバー取付け用螺子を用いる必要がないので、多くの手間や時間を要することなくスライダの一端部にレールカバーを取り付けたりスライダの一端部からレールカバーを取り外したりすることができる。
【発明を実施するための最良の形態】
【００１０】
以下、図１〜図７を参照して本発明の第１の実施形態について説明する。
本発明の第１の実施形態に係る直動案内装置は、図１及び図２に示すように、直線状に形成された案内レール１と、この案内レール１の長手方向に相対移動するスライダ２と、このスライダ２内に転動自在に組み込まれた多数の転動体（図示せず）とを備えており、案内レール１の左右側面部に形成された転動体転動溝３と案内レール１の上面部１ａは、レールカバー４によって覆われている。
【００１１】
レールカバー４は案内レール１の長手方向に伸縮自在なレールカバー本体５と、このレールカバー本体５の一端部と他端部に取り付けられたレールカバー取付け板６，７とからなり、レールカバー本体５は所定の形状に裁断された複数の布地を蛇腹状に縫製して形成されている。
レールカバー４のレールカバー取付け板６は、複数（例えば二本）のレールカバー取付け用螺子８によって案内レール１の一端部に固定されている。一方、レールカバー４のレールカバー取付け板７は、レールカバー固定手段１１（図２及び図３参照）によってスライダ２の一端部に固定されている。
【００１２】
レールカバー固定手段１１はレールカバー固定板１２と左右一対のレールカバー固定ピン１３，１３とからなり、レールカバー固定板１２は複数（例えば二本）の螺子１４によってスライダ２の一端部に固定されている。
レールカバー固定ピン１３，１３はレールカバー固定板１２に形成された左右一対の穴部１５，１５（図５参照）にカバー取付け板７を貫通して嵌合する断面円形の軸部１３ａ（図４参照）をそれぞれ有しており、これら軸部１３ａの先端部には、レールカバー固定板１２に形成された複数（例えば四つ）のフック受け部１６（図５参照）に対して着脱自在に係合する複数（例えば二つ）のフック部１７（図４参照）が設けられている。
【００１３】
また、レールカバー固定ピン１３，１３はカバー取付け板７に当接する当接部１３ｂをフック部１７と反対側の軸部１３ａの端部に有している。この当接部１３ｂは軸部１３ａより大きい直径で円柱状に形成されており、軸部１３ａと反対側の当接部１３ｂの端面には、レールカバー固定ピン１３をマイナスドライバー等により回転操作するための溝部１８（図４参照）が回転操作部として設けられている。
【００１４】
レールカバー固定板１２のフック受け部１６は、図７に示すように、レールカバー固定板１２の厚さ方向に沿う断面がほぼＬ字形をなしており、これに係合するフック部１７は、図６に示すように、レールカバー固定ピン１３の軸方向に沿う断面がほぼＬ字形となっている。なお、レールカバー固定ピン１３はポリアエタールなどの合成樹脂あるいはアルミニウムなどの金属で形成されていることが望ましい。
【００１５】
このような構成において、スライダ２の一端部にレールカバー４を取り付ける場合は、先ず、レールカバー固定板１２を複数の螺子１４によってスライダ２の一端部に固定する。次に、レールカバー固定板１２に形成された左右一対の穴部１５，１５にレールカバー固定ピン１３，１３をレールカバー取付け板７に形成された貫通孔７ａ，７ａ（図  参照）から挿入した後、図示しないマイナスドライバーによりレールカバー固定ピン１３，１３を所定の方向に回すと、レールカバー固定ピン１３のフック部１７がレールカバー固定板１２のフック受け部１６に係合する。これにより、レールカバー４のカバー取付け板７がレールカバー固定板１２及びレールカバー固定ピン１３，１３によってスライダ２に固定され、レールカバー４をスライダ２に固定する手段としてレールカバー取付け用螺子８を用いる必要がないので、多くの手間や時間を要することなくスライダ２の一端部にレールカバー４を取り付けたりスライダ２の一端部からレールカバー４を取り外したりすることができる。なお、スライダ２の一端部からレールカバー４を取り外す場合は、上述した取付け手順と逆の手順でレールカバー４をスライダ２の一端部から取り外すことができる。
【００１６】
上述した第１の実施形態ではレールカバー４のレールカバー本体５として所定の形状に裁断された複数の布地を蛇腹状に縫製したものを例示したが、これに限られるものではなく、案内レール１の長手方向に伸縮自在なものであればよい。
【図面の簡単な説明】
【００１７】
【図１】本発明の第１の実施形態に係る直動案内装置の概略構成を示す斜視図である。
【図２】本発明の第１の実施形態に係る直動案内装置の要部を示す一部断面側面図である。
【図３】本発明の第１の実施形態に係る直動案内装置の要部を示す一部断面平面図である。
【図４】図１に示すレールカバー固定ピンの側面図と正面図である。
【図５】図１に示すレールカバー固定板の正面図である。
【図６】図２に示すレールカバー固定手段の断面図である。
【図７】図５のフック受け部を矢印Ａ方向から見た図である。
【図８】レールカバーを備えた従来の直動案内装置の一例を示す図である。
【図９】図８に示した直動案内装置の問題点を説明するための図である。
【符号の説明】
【００１８】
１  案内レール
２  スライダ
３  転動体転動溝
４  レールカバー
５  レールカバー本体
６，７  レールカバー取付け板
８  レールカバー取付け用螺子
１１  レールカバー固定手段
１２  レールカバー固定板
１３  レールカバー固定ピン
１３ａ  軸部
１３ｂ  当接部
１５  穴部
１６  フック受け部
１７  フック部
１８  溝部（回転操作部）
【図１】
2008069870.tif 000003
【図２】
2008069870.tif 000004
【図３】
2008069870.tif 000005
【図４】
2008069870.tif 000006
【図５】
2008069870.tif 000007
【図６】
2008069870.tif 000008
【図７】
2008069870.tif 000009
【図８】
2008069870.tif 000010
【図９】
2008069870.tif 000011